(57)【要約】【課題】外部表示装置の第１表示画面を分割した表示領域のサイズの変更を操作装置において直感的に行えるようにする。【解決手段】実施形態の情報処理装置は、タッチパネルと、表示部と、送信部と、を備える。タッチパネルは、外部表示装置の第１表示画面を分割した複数の表示領域それぞれに対応し表示領域に対するタッチ動作による操作を検出可能である。表示部は、タッチパネルにおいて複数の表示領域それぞれに対応する操作領域を識別可能とする複数の操作領域画像が表示される第２表示画面を有し、第２表示画面側にタッチパネルが配置される。送信部は、操作領域のサイズの変更を指示する操作が検出された場合に、サイズが変更された操作領域に対応する表示領域のサイズの変更を指示する変更指示を外部表示装置に送信する。【選択図】図９
2014127184.tif 000002
【特許請求の範囲】
【請求項１】
外部表示装置の第１表示画面を分割した複数の表示領域それぞれに対応し前記表示領域に対するタッチ動作による操作を検出可能なタッチパネルと、
前記タッチパネルにおいて前記複数の表示領域それぞれに対応する操作領域を識別可能とする複数の操作領域画像が表示される第２表示画面を有し、前記第２表示画面側に前記タッチパネルが配置された表示部と、
前記操作領域のサイズの変更を指示する前記操作が検出された場合に、サイズが変更された前記操作領域に対応する前記表示領域のサイズの変更を指示する変更指示を前記外部表示装置に送信する送信部と、
を備えた情報処理装置。
【請求項２】
前記送信部は、前記操作領域のサイズの変更を指示する前記操作が検出された場合、当該サイズが変更された操作領域に対応する前記表示領域のサイズの変更を指示する前記変更指示を送信する請求項１に記載の情報処理装置。
【請求項３】
前記送信部は、前記操作領域のサイズの変更を指示する前記操作が検出された場合、当該サイズが変更された操作領域に伴ってサイズが変更された他の前記操作領域に対応する前記表示領域のサイズの変更を指示する前記変更指示を送信する請求項２に記載の情報処理装置。
【請求項４】
前記送信部は、前記操作領域の配置の変更を指示する前記操作が検出された場合に、変更後の前記操作領域の配置と同様に配置されるよう前記表示領域の配置の変更を指示する前記変更指示を前記外部表示装置に送信する請求項１から３のいずれか一に記載の情報処理装置。
【請求項５】
前記送信部は、いずれかの前記操作領域において前記表示領域の表示情報の切り替えを指示する前記操作が検出された場合、当該操作領域に対応する前記表示領域の前記表示情報の変更を指示する前記変更指示を前記外部表示装置に送信する請求項１から４のいずれか一に記載の情報処理装置。
【請求項６】
前記表示部は、前記複数の操作領域画像を含み前記第２表示画面に表示可能な表示サイズより大きい画像の一部を前記第２表示画面に表示する請求項１から５のいずれか一に記載の情報処理装置。
【請求項７】
前記外部表示装置から、前記第１表示画面の分割数を取得する取得部を備え、
前記タッチパネルは、前記取得部により取得した前記分割数の前記操作領域を有する請求項１から６のいずれか一に記載の情報処理装置。
【請求項８】
前記取得部は、前記外部表示装置から、前記第１表示画面における前記表示領域の配置を表す配置情報を取得し、
前記タッチパネルは、前記取得部により取得した前記配置情報に従って配置された前記操作領域を有する請求項７に記載の情報処理装置。
【請求項９】
前記送信部は、前記操作が検出された位置に応じて、前記操作の操作対象を、当該操作が検出された位置の前記操作領域に対応する前記表示領域または前記複数の表示領域全てに切り替える請求項１から８のいずれか一に記載の情報処理装置。
【請求項１０】
前記情報処理装置の姿勢を検出する検出部を備え、
前記送信部は、検出された前記情報処理装置の姿勢に応じて、前記操作の操作対象を、当該操作が検出された位置の前記操作領域に対応する前記表示領域または前記複数の表示領域全てに切り替える請求項１から９のいずれか一に記載の情報処理装置。
【請求項１１】
外部表示装置の第１表示画面を分割した複数の表示領域それぞれに対応し前記表示領域に対するタッチ動作による操作を検出可能なタッチパネルと、前記タッチパネルにおいて前記複数の表示領域それぞれに対応する操作領域を識別可能とする複数の操作領域画像が表示される第２表示画面を有し、前記第２表示画面側に前記タッチパネルが配置された表示部と、を備えた情報処理装置で実行される表示制御方法であって、
送信部が、前記操作領域のサイズの変更を指示する前記操作が検出された場合に、サイズが変更された前記操作領域に対応する前記表示領域のサイズの変更を指示する変更指示を前記外部表示装置に送信する過程、
を含む表示制御方法。 
【発明の詳細な説明】
【技術分野】
【０００１】
本発明の実施形態は、情報処理装置および表示制御方法に関する。
【背景技術】
【０００２】
複数の画像を表示する外部表示装置を操作可能な情報処理装置が備える表示部に、外部表示装置に表示された複数の画像に対応し当該各画像に対する操作を入力可能な複数の操作領域を設け、外部表示装置に表示される複数の画像と、複数の操作領域との間で、一対一の対応関係が視覚的に認識されるように、複数の操作領域を表示部に配置する技術が開示されている。
【先行技術文献】
【特許文献】
【０００３】
【特許文献１】特開２０１２−１６４３１９号公報
【発明の概要】
【発明が解決しようとする課題】
【０００４】
ところで、外部表示装置に表示される複数の画像と複数の操作領域との間で一対一の対応関係が視覚的に認識されるように当該複数の操作領域を表示部に配置する技術において、外部表示装置に表示された画像の表示サイズを変更する操作を情報処理装置の表示部において直感的に行えるようにしたい、という要望がある。
【０００５】
本発明は、上記に鑑みてなされたものであって、外部表示装置の第１表示画面を分割した表示領域のサイズの変更を操作装置において直感的に行える情報処理装置および表示制御方法を提供することを目的とする。
【課題を解決するための手段】
【０００６】
実施形態の情報処理装置は、タッチパネルと、表示部と、送信部と、を備える。タッチパネルは、外部表示装置の第１表示画面を分割した複数の表示領域それぞれに対応し表示領域に対するタッチ動作による操作を検出可能である。表示部は、タッチパネルにおいて複数の表示領域それぞれに対応する操作領域を識別可能とする複数の操作領域画像が表示される第２表示画面を有し、第２表示画面側にタッチパネルが配置される。送信部は、操作領域のサイズの変更を指示する操作が検出された場合に、サイズが変更された操作領域に対応する表示領域のサイズの変更を指示する変更指示を外部表示装置に送信する。
【図面の簡単な説明】
【０００７】
【図１】図１は、第１の実施形態にかかる表示制御システムの構成を示すブロック図である。
【図２】図２は、第１の実施形態にかかる外部表示装置における第１表示画面の分割例を示す図である。
【図３】図３は、第１の実施形態にかかる外部表示装置における第１表示画面の分割例を示す図である。
【図４】図４は、第１の実施形態にかかる操作装置のハードウェア構成を示すブロック図である。
【図５】図５は、第１の実施形態にかかる操作装置において外部表示装置の第１表示画面の表示を制御する処理の流れを示すフローチャートである。
【図６】図６は、第１の実施形態にかかる表示制御システムにおける外部表示装置の第１表示画面および操作装置の第２表示画面の一例を示す図である。
【図７】図７は、第１の実施形態にかかる表示制御システムにおける外部表示装置の第１表示画面および操作装置の第２表示画面の一例を示す図である。
【図８】図８は、第１の実施形態にかかる操作装置のタッチパネルが有する操作領域の一例を示す図である。
【図９】図９は、第１の実施形態にかかる表示制御システムにおいて操作領域のサイズの変更に応じて表示領域のサイズを変更する動作を説明するための図である。
【図１０】図１０は、第１の実施形態にかかる表示制御システムにおいて操作領域の配置の変更に応じて表示領域の配置を変更する動作を説明するための図である。
【図１１】図１１は、変形例１にかかる表示制御システムにおいて操作対象を一の表示領域または複数の表示領域全てに切り替える動作を説明するための図である。
【図１２】図１２は、変形例２にかかる操作装置の第２表示画面に対する画像の表示例を示す図である。
【発明を実施するための形態】
【０００８】
以下に添付図面を参照して、本実施形態にかかる情報処理装置および表示制御方法について説明する。
【０００９】
（第１の実施形態）
図１は、第１の実施形態にかかる表示制御システムの構成を示すブロック図である。本実施形態にかかる表示制御システム１０は、放送映像などの各種の表示情報を表示する表示画面（以下、第１表示画面Ｇという）を有する表示部１０１を備える外部表示装置１（例えば、テレビジョンなど）と、当該外部表示装置１に対する操作を入力可能な情報処理装置の一例としての操作装置２（例えば、タブレット端末やスマートフォンなどの携帯端末装置）と、を有している。
【００１０】
本実施形態では、外部表示装置１は、操作装置２からの第１表示画面Ｇの分割を指示する画面分割指示に応じて複数の表示領域に分割し、分割した複数の表示領域に各種の表示情報を表示する。画面分割指示には、第１表示画面Ｇを複数の表示領域に分割する際の分割数および第１表示画面Ｇにおける各表示領域の配置を表す配置情報が含まれている。第１表示画面Ｇを分割した各表示領域は、表示領域毎に、当該表示領域に表示された表示情報に関わる処理（例えば、表示情報の切り替え、表示情報に関わる音声の音量の変更など）を操作可能である。
【００１１】
図２および図３は、第１の実施形態にかかる外部表示装置における第１表示画面の分割例を示す図である。例えば、外部表示装置１は、分割数「２」を含む画面分割指示を受信した場合、図２（ａ）に示すように、第１表示画面Ｇを、表示サイズが等しい２つの表示領域Ｒ１，Ｒ２に分割する。また、外部表示装置１は、分割数「４」を含む画面分割指示を受信した場合、図２（ｂ）に示すように、第１表示画面Ｇを、表示サイズが等しい４つの表示領域Ｒ１，Ｒ２，Ｒ３，Ｒ４に分割する。さらに、外部表示装置１は、分割数「８」を含む画面分割指示を受信した場合、図２（ｃ）に示すように、第１表示画面Ｇを、表示サイズが等しい８つの表示領域Ｒ１，Ｒ２，Ｒ３，Ｒ４，Ｒ５，Ｒ６，Ｒ７，Ｒ８に分割する。
【００１２】
図２に示す第１表示画面Ｇの分割例では、当該第１表示画面Ｇを等しい表示サイズの複数の表示領域に分割しているが、これに限定するものではない。例えば、外部表示装置１は、分割数「２」を含む画面分割指示を受信した場合、図３（ａ）に示すように、第１表示画面Ｇを、表示サイズが異なる２つの表示領域Ｒ１，Ｒ２に分割する。また、外部表示装置１は、分割数「８」を含む画面分割指示を受信した場合、図３（ｂ）に示すように、第１表示画面Ｇを、７つの表示領域Ｒ１，Ｒ２，Ｒ３，Ｒ４，Ｒ５，Ｒ６，Ｒ７と、当該表示領域よりも表示サイズが大きい表示領域Ｒ８と、に分割する。
【００１３】
本実施形態では、外部表示装置１は、操作装置２からの画面分割指示に応じて、第１表示画面Ｇを複数の表示領域に分割しているが、これに限定するものではなく、例えば、外部表示装置１を操作可能なリモートコントローラ（図示しない)からの画面分割指示に応じて、第１表示画面Ｇを複数の表示領域に分割することも可能である。その際、外部表示装置１は、第１表示画面Ｇを分割した表示領域の分割数および第１表示画面Ｇにおける各表示領域の配置を表す配置情報を操作装置２に送信する。
【００１４】
操作装置２は、外部表示装置１に対する操作を入力可能な情報処理装置の一例であり、操作装置２は、有線または無線によって、入力された操作に応じて、各種指示（例えば、画面分割指示、第１表示画面Ｇが複数の表示領域に分割された状態から第１表示画面Ｇに一つの表示情報が表示された状態への復帰指示、第１表示画面Ｇに表示された表示情報に関わる音声の音量の変更指示、第１表示画面Ｇに表示された表示情報の切り替えを指示する変更指示など）を外部表示装置１に送信する。
【００１５】
操作装置２は、図１に示すように、タッチ動作による操作を検出可能なタッチパネルｔと、当該タッチパネルｔが設けられ各種情報を表示可能な第２表示画面ｇを有する表示部２０１と、を備える。タッチパネルｔは、第１表示画面Ｇを分割した複数の表示領域それぞれに対応し当該表示領域に対するタッチ動作による操作を検出可能である。表示部２０１は、タッチパネルｔにおいて第１表示画面Ｇの複数の表示領域それぞれに対応する操作領域を識別可能とする複数の操作領域画像を表示可能な第２表示画面ｇを有し、第２表示画面ｇ側にタッチパネルｔが配置されている。
【００１６】
図４は、第１の実施形態にかかる操作装置のハードウェア構成を示すブロック図である。本実施形態にかかる操作装置２は、図４に示すように、表示部２０１と、タッチパネルｔと、加速度センサ２０３と、撮像部２０４と、通信部２０５と、記憶部２０６と、制御部２０７と、を備える。また、図示しないが、操作装置２は、スピーカやマイクロフォン等も備えるものとする。
【００１７】
表示部２０１は、例えばＬＣＤ（Liquid  Crystal  Display）や有機ＥＬ（Electro  Luminescence）ディスプレイ等の第２表示画面ｇを備えた表示デバイスである。表示部２０１は、制御部２０７による制御の下、各種の情報を表示する。
【００１８】
タッチパネルｔは、タッチ動作による操作を検出して、ユーザから各種指示や情報入力を受け付ける入力デバイスである。本実施形態では、タッチパネルｔは、表示部２０１の第２表示画面ｇ上に積層配置された透明の座標検出装置であり、第１表示画面Ｇを分割した複数の表示領域に対応し当該表示領域に対するタッチ動作による操作を検出可能な複数の操作領域に分割される。
【００１９】
加速度センサ２０３は、自装置にかかる加速度をセンシングするセンシング機器であって、例えば、３軸方向における自装置の姿勢の変化（傾斜や回転）を、センシング結果として出力する検出部の一例である。
【００２０】
撮像部２０４は、被写体を撮像可能なカメラである。
【００２１】
通信部２０５は、インターネットなどのネットワーク（図示せず）に接続可能な通信インタフェースである。通信部２０５は、制御部２０７による制御の下、ネットワークに接続された外部装置（例えば、外部表示装置１）との間で各種の情報を授受する。
【００２２】
記憶部２０６は、ＲＯＭ（Read  Only  Memory）、ＨＤＤ（Hard  Disk  Drive）、ＳＳＤ（Solid  State  Drive）等の不揮発性の記憶媒体を有し、各種のプログラムや設定情報等を記憶する。
【００２３】
制御部２０７は、ＣＰＵ（Central  Processing  Unit）、ＲＡＭ（Random  Access  Memory）等を有し（何れも図示せず）、記憶部２０６に記憶されたプログラムと協働することで、操作装置２の動作を統括的に制御する。
【００２４】
次に、図５〜７を用いて、本実施形態にかかる操作装置２によって外部表示装置１が有する第１表示画面Ｇの表示を制御する処理について説明する。図５は、第１の実施形態にかかる操作装置において外部表示装置の第１表示画面の表示を制御する処理の流れを示すフローチャートである。図６および図７は、第１の実施形態にかかる表示制御システムにおける外部表示装置の第１表示画面および操作装置の第２表示画面の一例を示す図である。
【００２５】
外部表示装置１は、図６に示すように、操作装置２から画面分割指示を受信していない場合には、第１表示画面Ｇに一つの表示領域（本実施形態では、第１表示画面Ｇ全体）を設けて当該表示領域に各種の表示情報Ｘ１（例えば、予め選択されたチャンネルＡの放送映像など）を表示する。
【００２６】
その際、操作装置２の制御部２０７は、図６に示すように、第１表示画面Ｇに設けられた表示領域に対する操作を入力可能な一つの操作領域（本実施形態では、タッチパネルｔ全体）を設けるとともに、当該操作領域を識別可能とする操作領域画像（本実施形態では、操作領域を囲む枠ｘ）を第２表示画面ｇに表示する。
【００２７】
制御部２０７は、タッチパネルｔに設けられた操作領域（第２表示画面ｇに表示された枠ｘ）内において操作領域の上下方向にフリックするタッチ動作（図６参照）による操作が検出された場合、第１表示画面Ｇに表示された表示情報Ｘ１に関わる音声の音量の変更を指示する変更指示を外部表示装置１に送信する。
【００２８】
また、制御部２０７は、タッチパネルｔに設けられた操作領域内において操作領域の左右方向にフリックするタッチ動作（図６参照）による操作が検出された場合、第１表示画面Ｇに表示する表示情報Ｘ１の切り替え（本実施形態では、表示情報Ｘ１として表示された放送映像のチャンネルＡの切り替え）を指示する変更指示を外部表示装置１に送信する。
【００２９】
本実施形態では、制御部２０７は、タッチパネルｔにおいてタッチ動作による操作としてフリックが検出された場合に変更指示を含む各種指示を外部表示装置１に送信しているが、これに限定するものではなく、例えば、第２表示画面ｇの枠ｘ内に含まれる各種ボタン（図示しない）を押下するタッチ動作による操作を検出した場合に各ボタンに対応する指示を外部表示装置１に送信するようにしても良い。
【００３０】
制御部２０７は、タッチパネルｔによって第１表示画面Ｇの分割を指示するタッチ動作による操作が検出された場合（若しくは、操作装置２が有する図示しない分割指示ボタンが押下されて第１表示画面Ｇの分割が指示された場合）、外部表示装置１に対して画面分割指示を送信する（ステップＳ５０１）。本実施形態では、制御部２０７は、タッチパネルｔによって第１表示画面Ｇの分割を指示するタッチ動作による操作が検出された際、第１表示画面Ｇを分割する分割数の入力を受け付け、入力を受け付けた分割数（例えば、「４」）および当該分割数で分割した複数の表示領域の配置を表す配置情報を含む画面分割指示を外部表示装置１に対して送信する。
【００３１】
外部表示装置１は、操作装置２から画面分割指示を受信すると、図７に示すように、第１表示画面Ｇを、受信した画面分割指示が含む分割数（例えば、「４」）で第１表示画面Ｇを分割して複数の表示領域Ｒ１，Ｒ２，Ｒ３およびＲ４を設ける。さらに、外部表示装置１は、各表示領域Ｒ１，Ｒ２，Ｒ３およびＲ４に各種の表示情報Ｘ１〜Ｘ４（例えば、予め選択されたチャンネルＡ〜Ｄの放送映像）を表示する。受信した画面分割指示に配置情報が含まれる場合には、外部表示装置１は、配置情報が表す配置に従って、複数の表示領域Ｒ１，Ｒ２，Ｒ３およびＲ４を第１表示画面Ｇに配置する。以下の説明では、個々の表示領域Ｒ１，Ｒ２，Ｒ３およびＲ４を特定する必要がない場合には、表示領域Ｒと記載する。
【００３２】
外部表示装置１に対して画面分割指示を送信すると、制御部２０７は、図７に示すように、画面分割指示に含めた分割数（例えば、「４」）でタッチパネルｔを分割して複数の操作領域ｒ１，ｒ２，ｒ３およびｒ４を設ける（ステップＳ５０２）。ここで、操作領域ｒ１，ｒ２，ｒ３およびｒ４は、図７に示すように、外部表示装置１の第１表示画面Ｇを分割した複数の表示領域Ｒそれぞれに対応し当該表示領域Ｒに対するタッチ動作による操作を検出可能な領域である。以下の説明では、個々の操作領域ｒ１，ｒ２，ｒ３およびｒ４を特定する必要がない場合には、操作領域ｒと記載する。
【００３３】
本実施形態では、制御部２０７は、画面分割指示に含めた配置情報が表す配置に従って、第１表示画面Ｇの各表示領域Ｒに対応する操作領域ｒを配置することにより、第１表示画面Ｇにおける複数の表示領域Ｒと同様の配置で、複数の操作領域ｒを配置する。また、本実施形態では、制御部２０７は、第１表示画面Ｇの各表示領域Ｒの形状と同様になるように、当該各表示領域Ｒに対応する操作領域ｒを設ける。
【００３４】
図８は、第１の実施形態にかかる操作装置のタッチパネルが有する操作領域の一例を示す図である。外部表示装置１の第１表示画面Ｇが４つの表示領域Ｒに分割された場合（図７参照）、制御部２０７は、図８（ａ）に示すように、各表示領域Ｒに対応する４つの操作領域ｒの配置を、第１表示画面Ｇにおける複数の表示領域Ｒの配置と同様にする。さらに、制御部２０７は、第１表示画面Ｇのアスペクト比とタッチパネルｔのアスペクト比が同様である場合、図８（ａ）に示すように、各操作領域ｒのアスペクト比を、各表示領域Ｒのアスペクト比と同様とすることにより、操作領域ｒの形状を表示領域Ｒの形状と同様にする。これにより、第１表示画面Ｇを分割した各表示領域Ｒと、タッチパネルｔを分割した各操作領域ｒとの対応関係をより容易に把握することができる。
【００３５】
ただし、第１表示画面Ｇのアスペクト比とタッチパネルｔのアスペクト比が大きく異なる場合には、制御部２０７は、図８（ｂ）に示すように、各表示領域Ｒに対応する４つの操作領域ｒの配置を、第１表示画面Ｇにおける複数の表示領域Ｒの配置と同様にする。この場合、第１表示画面Ｇの各表示領域Ｒの形状と、タッチパネルｔの各操作領域ｒの形状とは異なることとなるが、各表示領域Ｒに対応する４つの操作領域ｒの配置と、第１表示画面Ｇにおける複数の表示領域Ｒの配置とが同様であるため、第１表示画面Ｇを分割した各表示領域Ｒと、タッチパネルｔを分割した各操作領域ｒとの対応を容易に把握することができる。
【００３６】
本実施形態では、制御部２０７は、外部表示装置１の第１表示画面Ｇが複数の表示領域Ｒに分割されると、タッチパネルｔ全体を分割して複数の操作領域ｒを設けているが、タッチパネルｔの一部の領域を複数の操作領域ｒに分割しても良い。
【００３７】
また、本実施形態では、制御部２０７は、画面分割指示に含めた分割数でタッチパネルｔを分割して複数の操作領域ｒを設けているが、これに限定するものではない。例えば、外部表示装置１が操作装置２以外のリモートコントローラ（図示しない）からの画面分割指示に応じて第１表示画面Ｇを複数の表示領域Ｒに分割可能である場合、制御部２０７（取得部）は、通信部２０５を介して、外部表示装置１から、第１表示画面Ｇの分割数を取得する。そして、制御部２０７は、タッチパネルｔに、取得した分割数の操作領域ｒを設ける。
【００３８】
また、制御部２０７は、通信部２０５を介して、外部表示装置１から、第１表示画面Ｇにおける表示領域Ｒの配置を表す配置情報を取得する。そして、制御部２０７は、タッチパネルｔに、取得した配置情報に従って、第１表示画面Ｇを分割した各表示領域Ｒに対応する複数の操作領域ｒを配置する。
【００３９】
図５に戻り、制御部２０７は、タッチパネルｔが複数の操作領域ｒに分割されると、表示部２０１を制御して、タッチパネルｔの操作領域ｒを識別可能とする複数の操作領域画像を第２表示画面ｇに表示させる（ステップＳ５０３）。本実施形態では、制御部２０７は、タッチパネルｔの各操作領域ｒに対応する表示領域Ｒの表示情報を識別する識別情報ｘ１（例えば、表示領域Ｒに表示した放送映像のチャンネルの情報「Ａ」〜「Ｄ」など）を、操作領域画像として第２表示画面ｇに表示させる。また、本実施形態では、制御部２０７は、タッチパネルｔを分割した操作領域ｒ間の境界を示す境界情報ｘ２を、操作領域画像として第２表示画面ｇに表示させる。
【００４０】
本実施形態では、制御部２０７は、識別情報ｘ１や境界情報ｘ２を操作領域画像として第２表示画面ｇに表示させているが、タッチパネルｔの操作領域ｒを識別可能とするものであれば、これに限定するものではない。例えば、制御部２０７は、タッチパネルｔの各操作領域ｒを囲む枠などを操作領域画像として第２表示画面ｇに表示させても良い。
【００４１】
そして、制御部２０７は、タッチパネルｔに設けられた操作領域ｒのいずれかにおいてタッチ動作による操作が検出された場合には、検出されたタッチ動作による操作に応じて、外部表示装置１に対して各種指示を送信する（ステップＳ５０４）。
【００４２】
具体的には、制御部２０７（送信部）は、タッチパネルｔのいずれかの操作領域ｒにおいて当該操作領域ｒに対応する表示領域Ｒの表示情報の切り替えを指示するタッチ動作による操作が検出された場合に、当該操作領域ｒに対応する表示領域Ｒの表示情報の変更を指示する変更指示を外部表示装置１に送信する。
【００４３】
例えば、制御部２０７は、図７に示すように、識別情報ｘ１：「Ａ」により識別される操作領域ｒ１において左右にフリックする操作がタッチ動作による操作として検出されると、タッチ動作による操作が検出された操作領域ｒ１に対応する表示領域Ｒ１に表示されたチャンネルＡの放送映像（表示情報Ｘ１）を他のチャンネルの放送映像に切り替える変更指示を送信する。制御部２０７は、図７に示すように、識別情報ｘ１：「Ｂ」，「Ｃ」または「Ｄ」により識別される操作領域ｒ２，ｒ３およびｒ４において左右にフリックする操作がタッチ動作による操作として検出された場合も同様にして、他のチャンネルの放送映像に切り替える変更指示を送信する。
【００４４】
また、制御部２０７は、タッチパネルｔのいずれかの操作領域ｒにおいて当該操作領域ｒに対応する表示領域Ｒの表示情報に関わる音声の音量の変更を指示するタッチ動作による操作が検出された場合に、当該操作領域ｒに対応する表示領域Ｒの表示情報に関わる音声の音量の変更を指示する変更指示を外部表示装置１に送信する。
【００４５】
例えば、制御部２０７は、図７に示すように、識別情報ｘ１：「Ａ」により識別される操作領域ｒ１において上下にフリックする操作がタッチ動作による操作として検出されると、タッチ動作による操作が検出された操作領域ｒ１に対応する表示領域Ｒ１に放送映像が表示されたチャンネルＡの音声の音量を変更する変更指示を送信する。制御部２０７は、図７に示すように、識別情報ｘ１：「Ｂ」，「Ｃ」または「Ｄ」により識別される操作領域ｒ２，ｒ３およびｒ４において上下にフリックする操作がタッチ動作による操作として検出された場合も同様にして、音声の音量の変更を指示する変更指示を送信する。本実施形態では、外部表示装置１は、第１表示画面Ｇのいずれかの表示領域Ｒに表示された表示情報に関わる音声のみを発するため、タッチ動作による操作が検出された操作領域ｒに対応する表示領域Ｒの表示情報に関わる音声の音量が「０」より大きくすると、他の表示領域Ｒの表示情報に関わる音声の音量は「０」に変更する。
【００４６】
また、制御部２０７は、タッチパネルｔにおいてタッチ動作による操作が検出された位置に応じて、当該タッチ動作による操作の操作対象を、当該タッチ動作による操作が検出された位置の操作領域ｒに対応する表示領域Ｒまたは複数の表示領域Ｒ全てに切り替える。本実施形態では、制御部２０７は、タッチパネルｔにおいてタッチ動作による操作が検出された位置が、一つの操作領域ｒ内に収まっている場合には、タッチ動作による操作の操作対象を、当該タッチ動作による操作が検出された操作領域ｒに対応する表示領域Ｒとする。一方、制御部２０７は、タッチパネルｔにおいてタッチ動作による操作が検出された位置が、複数の操作領域ｒに連続している場合には、タッチ動作による操作の操作対象を、複数の表示領域Ｒ全てとする。
【００４７】
例えば、制御部２０７は、図７に示すように、識別情報ｘ１：「Ａ」により識別される操作領域ｒ１においてのみ左右にフリックする操作がタッチ動作による操作として検出された場合、他のチャンネルの放送映像に切り替える操作対象の表示領域Ｒを、表示情報Ｘ１（チャンネルＡの放送映像）が表示された表示領域Ｒ１とする。一方、制御部２０７は、識別情報ｘ１：「Ａ」の操作領域ｒ２および識別情報ｘ１：「Ｂ」の操作領域ｒ３において連続して左右にフリックする操作がタッチ動作による操作として検出された場合、他のチャンネルの放送映像に切り替える操作対象の表示領域Ｒを、複数の表示領域Ｒ全てとする。
【００４８】
または、制御部２０７は、加速度センサ２０３などにより検出された操作装置２の姿勢に応じて、当該タッチ動作による操作の操作対象を、当該タッチ動作による操作が検出された位置の操作領域ｒに対応する表示領域Ｒまたは複数の表示領域Ｒ全てに切り替えても良い。その場合に、加速度センサ２０３は、操作装置２の姿勢を検出する検出部として機能する。本実施形態では、制御部２０７は、加速度センサ２０３によって操作装置２（または第２表示画面ｇ）の長辺が横向きになったことが検出された場合、タッチ動作による操作の操作対象を、タッチ動作による操作が検出された位置の操作領域ｒに対応する表示領域Ｒとする。一方、制御部２０７は、加速度センサ２０３によって操作装置２（または第２表示画面ｇ）の長辺が縦向きになったことが検出された場合、タッチ動作による操作の操作対象を、複数の表示領域Ｒ全てとする。
【００４９】
また、制御部２０７は、タッチパネルｔの操作領域ｒのサイズの変更を指示するタッチ動作による操作が検出された場合、サイズが変更された操作領域ｒに対応する表示領域Ｒのサイズの変更を指示する変更指示を外部表示装置１に送信する。これにより、操作領域ｒのサイズの変更に応じて、サイズが変更された操作領域ｒに対応する表示領域Ｒのサイズも変更されるので、表示領域Ｒのサイズを変更するための操作を操作装置２において直感的に行うことができる。
【００５０】
図９は、第１の実施形態にかかる表示制御システムにおいて操作領域のサイズの変更に応じて表示領域のサイズを変更する動作を説明するための図である。以下の説明では、操作領域ｒのサイズの縮小に応じて表示領域Ｒのサイズを縮小する動作について説明するが、操作領域ｒのサイズの拡大に応じて表示領域Ｒのサイズを拡大する動作についても同様に行う。
【００５１】
図９に示すように、制御部２０７は、識別情報ｘ１：「Ａ」により識別される操作領域ｒ１の角部９０１を符号９０２で示す矢印の方向に移動させて、識別情報ｘ１：「Ａ」により識別される操作領域ｒ１のサイズの縮小（変更）を指示するタッチ動作による操作が検出された場合、当該サイズが縮小（変更）された操作領域ｒ１に対応する表示領域Ｒ（チャンネルＡの放送映像が表示情報Ｘ１として表示された表示領域Ｒ１）のサイズの縮小（変更）を指示する変更指示を外部表示装置１に送信する。これにより、外部表示装置１は、図９に示すように、操作装置２から受信した変更指示に応じて、チャンネルＡの放送映像が表示情報Ｘ１として表示された表示領域Ｒ１のサイズを、符号９０３で示す矢印の方向に縮小（変更）する。
【００５２】
本実施形態では、制御部２０７は、識別情報ｘ１：「Ａ」により識別される操作領域ｒ１のサイズの変更を指示するタッチ動作による操作が検出された場合、当該サイズが変更された操作領域ｒ１に対応する表示領域Ｒ１のみサイズの変更を指示する変更指示を外部表示装置１に送信しているが、これに限定するものではない。
【００５３】
例えば、第２表示画面ｇに境界情報ｘ２の交点を符号９０２で示す矢印の方向に移動させて、識別情報ｘ１：「Ａ」により識別される操作領域ｒ１のサイズの縮小（変更）を指示するタッチ動作による操作が検出された場合、制御部２０７は、当該サイズが変更された操作領域ｒ（識別情報ｘ１：「Ａ」により識別される操作領域ｒ１）に伴ってサイズが変更された他の操作領域ｒ（識別情報ｘ１：「Ｂ」，「Ｃ」および「Ｄ」により識別される操作領域ｒ２，ｒ３およびｒ４）のサイズの変更を指示する変更指示も外部表示装置１に送信する。そして、外部表示装置１は、操作装置２から受信した変更指示に応じて、チャンネルＡの放送映像が表示情報Ｘ１として表示された表示領域Ｒ１のサイズの縮小（変更）に伴って、表示情報Ｘ２，Ｘ３およびＸ４が表示された表示領域Ｒ２，Ｒ３およびＲ４のサイズを拡大（変更）する。
【００５４】
本実施形態では、制御部２０７は、操作領域ｒ１の角部９０１の移動を、操作領域ｒ１のサイズの変更を指示するタッチ動作による操作として検出しているが、これに限定するものではなく、例えば、サイズの変更対象の操作領域ｒに複数の指を乗せて、当該操作領域ｒを押し広げるような動作（所謂、ピンチアウト）または当該操作領域ｒをつまむような動作（所謂、ピンチイン）を、当該操作領域ｒのサイズの変更を指示するタッチ動作による操作として検出しても良い。
【００５５】
また、制御部２０７は、操作領域ｒの配置の変更を指示するタッチ動作による操作が検出された場合、変更後の操作領域ｒの配置と同様に配置されるよう表示領域Ｒの配置の変更を指示する変更指示を外部表示装置１に送信する。
【００５６】
図１０は、第１の実施形態にかかる表示制御システムにおいて操作領域の配置の変更に応じて表示領域の配置を変更する動作を説明するための図である。本実施形態では、いずれかの操作領域ｒ１をＬ字状になぞる操作１００１が行われて、操作領域ｒ１，ｒ２，ｒ３およびｒ４の配置を符号１００２に示すように反時計回りに回転させることを指示するタッチ動作による操作が検出された場合、制御部２０７は、反時計回り（符号１００２で示す）に回転させた操作領域ｒの配置と同様に配置されるように、表示領域Ｒを反時計回り（符号１００３で示す）に回転させることを指示する変更指示を外部表示装置１に送信する。これにより、第２表示画面ｇにおける操作領域ｒの配置と同様に、第１表示画面Ｇにおける表示領域Ｒを配置することができるので、第１表示画面Ｇにおける表示領域Ｒの配置の変更を直感的に行うことができ、操作対象の表示領域Ｒに対する操作を入力可能な操作領域ｒを選択する必要がなくなる。
【００５７】
このように本実施形態によれば、タッチパネルｔの操作領域ｒのサイズの変更を指示するタッチ動作による操作が検出された場合、サイズが変更された操作領域ｒに対応する表示領域Ｒのサイズの変更を指示する変更指示を外部表示装置１に送信することにより、操作領域ｒのサイズの変更に応じて、サイズが変更された操作領域ｒに対応する表示領域Ｒのサイズも変更されるので、表示領域Ｒのサイズを変更するための操作を操作装置２において直感的に行うことができる。
【００５８】
（変形例１）
本変形例は、操作装置２の第２表示画面ｇの一部に複数の操作領域ｒを設けるとともに、タッチ動作による操作が検出された領域が操作領域ｒか、若しくは当該操作領域ｒ以外の領域１１０１（図１１参照）かに応じて、当該タッチ動作による操作の操作対象を、当該タッチ動作による操作が検出された位置の操作領域ｒに対応する表示領域Ｒまたは複数の表示領域Ｒ全てに切り替える例である。なお、以下の説明では、第１の実施形態と異なる箇所についてのみ説明する。
【００５９】
図１１は、変形例１にかかる表示制御システムにおいて操作対象を一の表示領域または複数の表示領域全てに切り替える動作を説明するための図である。本変形例では、制御部２０７は、タッチパネルｔの一部に複数の操作領域ｒを設けるとともに、タッチパネルｔにおいて当該複数の操作領域ｒ以外のＬ字型の領域１１０１を、当該複数の操作領域ｒに対する操作を入力するための領域とする。制御部２０７は、タッチパネルｔに領域１１０１を設けた場合、当該領域１１０１を識別可能とする画像（本実施形態では、複数の操作領域ｒと領域１１０１との境界を表す第２の境界情報１１０２）を第２表示画面ｇに表示させる。
【００６０】
そして、制御部２０７は、タッチパネルｔにおいてタッチ動作による操作が検出された位置が、操作領域ｒであって場合には、タッチ動作による操作の操作対象を、当該タッチ動作による操作が検出された操作領域ｒに対応する表示領域Ｒとする。一方、制御部２０７は、タッチパネルｔにおいてタッチ動作による操作が検出された位置が、領域１１０１であった場合には、タッチ動作による操作の操作対象を、複数の表示領域Ｒ全てとする。
【００６１】
また、本変形例では、制御部２０７は、領域１１０１をＬ字状になぞる操作が行われて、操作領域ｒの配置を反時計回りに回転させることを指示するタッチ動作による操作が検出された場合、反時計回り（図１０の符号１００２で示す）に回転させた操作領域ｒの配置と同様に配置されるように、表示領域Ｒを反時計回り（図１０の符号１００３で示す）に回転させることを指示する変更指示を外部表示装置１に送信する。
【００６２】
このように本変形例１によれば、操作装置２の第２表示画面ｇの一部に複数の操作領域ｒを設けるとともに、タッチ動作による操作が検出された領域が操作領域ｒか、若しくは当該操作領域ｒ以外の領域１１０１かに応じて、当該タッチ動作による操作の操作対象を、当該タッチ動作による操作が検出された位置の操作領域ｒに対応する表示領域Ｒまたは複数の表示領域Ｒ全てに切り替えることにより、一の表示領域Ｒに対する操作を入力する領域と複数の表示領域Ｒ全てに対する操作を入力する領域とが別々となるので、一つの操作領域ｒで行ったタッチ動作による操作の操作対象が、誤って複数の表示領域Ｒとなることを防止できる。
【００６３】
（変形例２）
本変形例は、複数の操作領域画像（識別情報ｘ１）を含み第２表示画面ｇに表示可能な表示サイズよりも大きい画像Ｚ（図１２参照）の一部を第２表示画面ｇに表示する例である。なお、以下の説明では、第１の実施形態と異なる箇所についてのみ説明する。
【００６４】
図１２は、変形例２にかかる操作装置の第２表示画面に対する画像の表示例を示す図である。本変形例では、制御部２０７は、複数の操作領域画像の一例としての識別情報ｘ１：「Ａ」〜「Ｄ」を含み第２表示画面ｇに表示可能な表示サイズよりも大きい画像Ｚを記憶部２０６に描画する。そして、制御部２０７は、表示部２０１を制御して、記憶部２０６に描画した画像Ｚの一部を第２表示画面ｇに表示する。本変形例では、制御部２０７は、操作領域ｒの数に相当する分割数で画像Ｚを複数の部分画像Ｚ３に分割し、部分画像Ｚ３毎に第２表示画面ｇに表示させる。
【００６５】
また、本変形例では、制御部２０７は、複数の部分画像Ｚ３のうち、第２表示画面ｇに表示されている部分画像Ｚ３に、他の部分画像Ｚ３の表示を指示可能な指示ボタンＺ１を、含める。そして、制御部２０７は、操作対象の操作領域ｒの指示ボタンＺ１に対するタッチ動作による操作に応じて、画像Ｚのうち第２表示画面ｇに表示する部分画像Ｚ３を切り替える。
【００６６】
このように本変形例によれば、複数の操作領域画像を含む第２表示画面ｇに表示可能な表示サイズよりも大きい画像Ｚの一部を第２表示画面ｇに表示することにより、複数の操作領域ｒを識別可能とする操作領域画像を一画面に表示する場合よりも、大きい操作領域画像を第２表示画面ｇに表示することができるので、表示領域Ｒに対する操作を入力し易くすることができる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１・・・外部表示装置、２・・・操作装置、Ｇ・・・第１表示画面、ｇ・・・第２表示画面、Ｒ・・・表示領域、ｒ・・・操作領域、ｔ・・・タッチパネル、ｘ１・・・識別情報、ｘ２・・・境界情報、２０１・・・表示部、２０３・・・加速度センサ、２０５・・・通信部、２０６・・・記憶部、２０７・・・制御部。
【図１】
2014127184.tif 000003
【図２】
2014127184.tif 000004
【図３】
2014127184.tif 000005
【図４】
2014127184.tif 000006
【図５】
2014127184.tif 000007
【図６】
2014127184.tif 000008
【図７】
2014127184.tif 000009
【図８】
2014127184.tif 000010
【図９】
2014127184.tif 000011
【図１０】
2014127184.tif 000012
【図１１】
2014127184.tif 000013
【図１２】
2014127184.tif 000014